(57)【要約】      （修正有）【課題】前面壁下部に取出口を設けると共に底面を取出口に向って下り勾配にした容器内に円筒状包装形態の商品を収納し、商品が底面上を転動して順次取出口へ臨むようにした陳列容器において、万一商品の円滑な転動が阻害されても、容易に商品の整列させる事ができる陳列容器を提供する。【解決手段】上下両面を傾斜壁１１，１２とした略横Ｖ字形の案内部材１６を前面壁の裏側に配置し、案内部材の下面傾斜壁の基端部１４を容器に支持させ、上面傾斜壁の基端部１３を前面壁の外側へ突出させ、上面傾斜壁の基端部側を操作して下面傾斜壁を底面との間で揺動させるようにした。【選択図】図２
0003149730.tif 000002
【実用新案登録請求の範囲】
【請求項１】
前面壁下部に取出口を設けると共に底面を取出口に向って下り勾配にした容器内に円筒状包装形態の商品を収納し、商品が底面上を転動して順次取出口へ臨むようにした陳列容器において、上下両面を傾斜壁とした略横Ｖ字形の案内部材を前面壁の裏側に配置し、案内部材の下面傾斜壁の基端部を容器に支持させると共に上面傾斜壁の基端部を前面壁の外側へ突出させ、この上面傾斜壁の基端部側を操作して下面傾斜壁を底面との間で揺動させるようにした陳列容器。
【請求項２】
前面壁下部に取出口を設けると共に底面を取出口に向って下り勾配にした容器内に円筒状包装形態の商品を収納し、商品が底面上を転動して順次取出口へ臨むようにした陳列容器において、容器の前面壁をその下端部を揺動可能に容器に取付け、上下両面を傾斜壁とした略横Ｖ字形の案内部材を前面壁の裏側に配置固定し、前面壁の上端部側を操作して案内部材を底面との間で揺動させるようにした陳列容器。
【請求項３】
案内部材の下面傾斜壁を前面壁側又は底面側へ付勢させてある請求項１に記載の陳列容器。
【請求項４】
前面壁を容器の内側又は外側へ付勢させてある請求項２に記載の陳列容器。
【考案の詳細な説明】
【技術分野】
【０００１】
本考案は、前面壁下部に取出口を設けると共に底面を取出口に向って下り勾配にした容器内に円筒状包装形態の商品を収納し、商品が底面上を転動して順次取出口へ臨むようにした陳列容器に関するものである。
【背景技術】
【０００２】
底面を取出口に向って下り勾配とし、その上に商品を積み上げるようにした商品収納部内に円筒状包装形態の商品を収納するタイプの陳列具としては、特許文献１の図７に記載のものが知られている。
ここに開示されている陳列箱では、箱の底面を取出口に向って下り勾配となし、箱の前面壁下部にその開口部側が低位置となるように傾斜させた引出しを配置する構成を採用していて、商品を引出しの上に積み上げるように収納し、引出しをひき出してその先端へ転動して来る商品を取り除くと、後の商品が順次自重により転動して自動的に排出されるように構成されている。
【０００３】
しかしながら、この陳列箱においては、円筒状包装形態の商品は箱内にランダムに投入して収納されることになるが、引出しの後部側に収納されている商品の間に別の商品が中途半端に介入する現象が生じると、商品の円滑な転動が阻害されて商品が底面に沿って繰り出されてくることが保証されなくなる。
そのため、引出しをひき出せず、或いはひき出せても引出し内に商品が転動して来ない事態が生じることになる。
【０００４】
この状態が発生すると、顧客は、陳列箱内の商品が品切れになっていると認識してしまうため、現在では、陳列台上に円筒状包装形態の商品を立てて陳列販売され、顧客が任意の商品を選択するようにしているのが現状である。
しかしながら、商品を立てて陳列する方法では、顧客が商品を取り出す際に手や商品が他の商品に当たると、商品が容易に倒れてしまうし、商品を追加する際にこれを後側に陳列しようとすると、先に陳列されていた商品を一旦回収しなければならないことになる。しかも、多くの商品を陳列するスペースの確保が困難になるのみならず、商品のキャッチフレーズなどの表示スペースの確保も難しくなる。
そのため、陳列に種々の問題を残していたのが現状で、新しい陳列具の出現が望まれていた訳である。
【先行技術文献】
【特許文献】
【０００５】
【特許文献１】実開昭５８−１３９４８０号公報
【考案の開示】
【考案が解決しようとする課題】
【０００６】
本考案は、前面壁下部に取出口を設けると共に底面を取出口に向って下り勾配にした容器内に円筒状包装形態の商品を収納し、商品が底面上を転動して順次取出口へ臨むようにした陳列容器において、万一商品の円滑な転動が阻害されても、容易に商品の整列を促せるようにすることを課題としたものである。
【課題を解決するための手段】
【０００７】
この技術的課題を解決するための第一の技術的手段は、（イ）上下両面を傾斜壁とした略横Ｖ字形の案内部材を前面壁の裏側に配置し、（ロ）案内部材の下面傾斜壁の基端部を容器に支持させ、（ハ）上面傾斜壁の基端部を前面壁の外側へ突出させ、（ニ）上面傾斜壁の基端部側を操作して下面傾斜壁を底面との間で揺動させるようにしたこと、である。
【０００８】
また、第二の技術的手段は、（ホ）容器の前面壁をその下端部を揺動可能に容器に取り付け、（へ）上下両面を傾斜壁とした略横Ｖ字形の案内部材を前面壁の裏側に配置固定し、（ト）前面壁の上端部側を操作して案内部材を底面との間で揺動させるようにしたことである。
【０００９】
第一の技術的手段において、容器の前面壁の裏側には、上下両面を傾斜壁とした略横Ｖ字形の案内部材が配置されていて、上面傾斜壁は、収納部の奥に向って下がり勾配となって収納される商品を一旦容器の後側へ案内し、その後商品は、取出口側へ下り勾配となっている下面傾斜壁と底面に案内されて排出口へ排出されるようになっている。
下面傾斜壁の基端部を容器に支持させる一方で、上面傾斜壁の基端側を前面壁の外側へ突出させているから、上面傾斜壁の基端部側を操作して下面傾斜壁を底面との間で揺動させると、下面傾斜壁と底面との間隔の大きさが変更されることになる。
【００１０】
円筒状に包装された商品は、本来下り勾配となっている底面を自重によって転動し、取出口に排出されてくるが、取出口の手前でほかの商品と干渉し合って双方の商品が底面と案内部材の下面傾斜壁との間に挟まれると商品の円滑な転動が阻害されることになる。
このとき、商品は円筒状の側壁同志が線接触した状態となり、上位の商品が落下しようとする力と下位の商品が転動しようとする力とがバランスを保っている。そこで、案内部材の下面傾斜壁を揺動させて商品を押圧し或いは底面との間隔を大きくすると、商品間の力のバランスが崩されて側壁の接触位置にずれが生じ、商品同志が僅かにその位置を変位させて干渉し合った状態を解消し、商品は底面上での整列が促され円滑に取出口へと転動することになる。
【００１１】
案内部材の下面傾斜壁は、干渉し合っている商品の力のバランスを崩すために揺動させるから、その揺動距離を大きくさせる必要はない。干渉し合っている商品を５〜１０ｍｍ程度動かせば良いから、下面傾斜壁の傾斜角や長さを勘案して設計することになる。
下面傾斜壁の基端部を容器に支持させる構造は、枢着させることによって最も安定した支持となるが、下面傾斜壁が揺動できる限りどのような方法で支持させてもよい。溶接によって固着させて下面傾斜壁の可撓作用やバネ作用を利用して揺動させるようにしても良いのは勿論である。
また、下面傾斜壁の揺動を押し引きによって操作すると、最も簡便な構造を採用することができる。このとき、バネやゴムなどを利用して案内部材を前面壁側又は収納部側へ付勢させた状態で支持させると、上面傾斜壁を押し又は引きの操作をするだけで自動的に元の状態へ復帰させることができる利点がある。
【００１２】
第二の技術的手段では、容器の前面壁がその下端部を中心にした揺動を可能にして容器に取付けられていて、上記と同様の上下両面を傾斜壁とした略横Ｖ字形の案内部材を前面壁の裏側に配置して固定する構成を採用しているから、案内部材は容器の前面壁と一体となって揺動することになる。
前面壁の上端部側を操作して案内部材を底面との間で揺動させると、下面傾斜壁と底面との間隔の大きさを変更できるから、上記の技術的手段と同じ作用を奏することになる。
【００１３】
前面壁の容器への取付けは枢着するなどして揺動を円滑に行なえるようにすることが望ましいが、常時揺動させる訳ではないから、前面壁が揺動できる限りどのような方法で支持させてもよい。
前面壁の上端側は、揺動幅に対応してストッパを容器に突設し、或いは、上端の左右に突起を突設してこれを容器の側壁に設けた部分円弧状の長孔に挿入して案内させる構成を採用してもよい。
なお、上記技術的手段と同様に、バネやゴムなどを利用して前面壁を容器の内側又は外側へ付勢させた状態で支持させることができ、これを押し引きすると、同じ作用を奏することになる。
【考案の効果】
【００１４】
万一商品の円滑な転動が阻害されても、容易に商品の整列を促すことができるから、容器内に商品を収納させておくだけで安定した商品の陳列を行なえる利点がある。
また、前面壁全体を商品の表示ないし説明スペースとして活用できる利点もある。
【図面の簡単な説明】
【００１５】
【図１】陳列バスケットの平面図
【図２】陳列バスケットの側壁を除去した右側面図
【図３】他の発明における陳列バスケットの側壁の一部を切り欠いた右側面図
【考案を実施するための最良の形態】
【００１６】
本実施形態においては、陳列容器として陳列バスケット１を用いている。
バスケット１は金属線２、２を適宜屈曲するなどして縦横に組み合わせて溶接を施し、左右に図示しないパネルを取り付けて側壁となし、上面３全体を開口させて商品１０の収納口ないし投入口としている。
前面壁４は本実施形態では金属板で構成してあり、金属線２に溶接して取り付け、その下方に商品の取出口５を設けている。底面６は、取出口５に向って下がり勾配にしてあり、その先端は取出口５の前方に臨んで上方へ屈曲させ、底面６上を転動してくる商品のストッパ７となっている。
【００１７】
前面壁４の裏側にはこれと三角形を形成するように、上下両面を傾斜壁１１、１２とした金属製の案内部材１６を配置している。上面傾斜壁１１はほとんど撓みのない金属で構成してバスケット１の中央部に位置させてあり、下面傾斜壁１２は若干撓むことができる金属で構成してバスケット１の内幅より僅かに小さい幅となっている。
両者は先端部同志を連結させていて、下面傾斜壁１２の基端部１４を前面壁４の下部を取り付けている金属線２に溶接させている。
他方、上面傾斜壁１１の基端部１３は、前面壁４の上部を取り付けている金属線２の上からそのまま前面壁４の外側へ臨ませ、その先端部を下向きに屈曲させて後述する操作部１５を形成している。
【００１８】
この実施形態では、円筒状の包装形態としたシーリング材を商品とした例を示していて、図２は、商品１０ａと１０ｂとが底面６と案内部材の下面壁１２との間に挟まった状態を示している。これらの商品より前方の商品はとすでに取り出され、後方に位置する商品が詰まった状態となっている。
この状態において、操作部１５を傾斜した方向、すなわち図２では右斜め下方に向って押圧すると、下面傾斜壁１２はその下面で商品１０ｂを押圧し、下向きに落下しようとする力を補助し、同時に商品１０ａを若干後退させることになる。次いで操作部に対する押圧力を解除すると、商品１０ｂは、そのまま商品１０ａの前へ落下し、そのまま取出口３まで転動し、その後側で商品１０ａが順次転動し、商品１０が干渉し合った状態が解除されるのである。
【００１９】
図３は、別の発明の実施形態を示すバスケット２１の実施形態を示すバスケットの側壁の一部を切り欠いた右側面図である。
この実施形態では、前記実施形態と同様に金属線２、２を用いて形成したバスケット２１の前面壁２４は、その下端部を金属線２に枢着させている。バスケット２１の左右の側壁はパネル２３、２３が固定してあり、前面壁２４の上端部の左右に突出させたピン２５、２５をパネル２３、２３に形成した部分円弧状のガイド孔２７内に臨ませ、これらがガイド孔２７で案内される範囲において前面壁２４が揺動するように構成している。
【００２０】
前面壁２４の裏側には、前記の実施形態と同様の形態の案内部材２６が配置してあり、その上下両面の傾斜壁２１、２２の基端部を前面壁２４に固定させている。したがって、案内部材２６は、前面壁２４と共に揺動するようにしている。
なお、ピン２５にはコイルバネ（図示せず）が取り付けてあって、前面壁２４を常時バケットの外側方向に付勢してあり、前面壁２４を押した後に手を離すと自動的にもとの位置に戻るようにしている。
この発明における案内部材は、前記の実施形態において図２用いて説明した案内部材の下面傾斜壁の作用と同じ作用を果たし、底面２６と案内部材の下面壁２２との間に商品１０の挟まった状態を解除することができる。
【符号の説明】
【００２１】
１、２１陳列バスケット、  ２バスケットを形成する金属線、  ３バスケットの上面、  ４、２４前面壁、  ５取出口、  ６、２６底面、  ７取出口のストッパ、  １０商品、  １１、２１案内部材の上面傾斜壁、  １２、２２案内部材の下面傾斜壁、  １３上面傾斜壁の基端部、  １４下面傾斜壁の基端部、  １５上面傾斜壁の操作部、  １６、２６案内部材、  ２３側壁パネル、  ２５前面壁の上端部の左右に突設したピン、  ２７部分円弧状のガイド孔
【図１】
0003149730.tif 000003
【図２】
0003149730.tif 000004
【図３】
0003149730.tif 000005